(57)【要約】【課題】反屋根側への排水が可能であり、見栄えの悪化、竪樋の損傷および支柱強度の低下等を防止でき、しかも竪樋の補修などを容易に行うことができる簡易構造物を提供する。【解決手段】地面Ｇに立設される一対の支持部材１１，１１を有する支柱１０と、支柱１０に取り付けられた梁２と、梁２に吊り下げられた屋根５と、屋根５から地面Ｇに排水する排水機構２０と、を備え、一対の支持部材１１，１１間に形成された空間１０ｈが支柱１０の屋根側および反屋根側に開口しており、排水機構２０が、一対の支持部材１１，１１間の空間１０ｈに設けられた竪樋２１と、屋根５から竪樋に排水する上部排水部２２と、を備えている。【選択図】図１
2019131974.tif 000002
【特許請求の範囲】
【請求項１】
地面に立設される一対の支持部材を有する支柱と、
該支柱に取り付けられた梁と、
該梁に吊り下げられた屋根と、
該屋根から地面に排水する排水機構と、を備え、
前記一対の支持部材間に形成された空間が前記支柱の屋根側および反屋根側に開口しており、
前記排水機構が、
前記一対の支持部材間の空間に設けられた竪樋と、
前記屋根から前記竪樋に排水する上部排水部と、を備えている
ことを特徴とする簡易構造物。
【請求項２】
前記支柱は、
屋根側および反屋根側の開口を覆うカバーを備えており、
該カバーが前記一対の支持部材に対して着脱可能に取り付けられている
ことを特徴とする請求項１記載の簡易構造物。
【請求項３】
前記一対の支持部材は、
前記支柱の屋根側および／または反屋根側の開口が該支柱の長手方向に沿って延びる開口となるように設置されている
ことを特徴とする請求項１または２記載の簡易構造物。
【発明の詳細な説明】
【技術分野】
【０００１】
本発明は、簡易構造物に関する。さらに詳しくは、屋外通路屋根（回廊）、車庫、テラス等の簡易構造物に関する。
【背景技術】
【０００２】
屋外通路屋根や車庫やテラス等の簡易構造物では、屋根に降った雨水は、樋などを備えた排水機構によって地面まで誘導され、地面や地面に設けられた排水溝などに排水される。かかる雨水を屋根から地面等まで誘導する排水機構の樋は、通常、屋根を支持する支柱などに沿って設置される。
【０００３】
屋外通路屋根や車庫やテラス等の簡易構造物では、支柱に設けられた梁から屋根が吊り下げられて設置された構造を有するものがある。このような構造を有する簡易構造物の場合、竪樋は、受け金具などによって支柱の側面に取り付けられており、竪樋が露出しているため、簡易構造物の見栄えが悪くなるという問題がある。しかも、人が竪樋に接触したり竪樋が破損したりするなどの問題がある。
【０００４】
そこで、支柱に竪樋をカバーする部材を設けて、竪樋が外部から視認できないようにしたり、人などが直接竪樋に接触したりしないようにすることが行われている（特許文献１等）。
この方法では、カバーによって簡易構造物の見栄えが悪くなることは防止できる。しかし、カバーは通常樹脂等によって形成されているので、人が竪樋に接触した際に竪樋が破損したりする可能性がある。
【０００５】
また、屋根が吊り下げられて設置された構造を有する簡易構造物では、通常、竪樋は支柱において屋根が設けられている側の側面（以下「屋根側」という場合がある）に取り付けられる。しかし、排水溝などの排水する場所は、屋根側の反対側（以下「反屋根側」という場合がある）に位置することが一般的である。このため、屋根側に設けられた竪樋から反屋根側の排水溝等に排水するためには、特別な排水管などを設けなければならず、排水構造が複雑になるなどの問題が生じる。
【０００６】
支柱の側面に竪樋を配置する方法以外に、中空な支柱を使用して支柱内に竪樋を設置する方法も開発されている（特許文献２等）。この場合、支柱の上部側面に貫通孔を設けて、屋根に設けられた樋（横樋）と竪樋の上端とを支柱の側面の貫通孔を通して連結する。また、支柱の下部側面に貫通孔を設けて、この貫通孔を通して竪樋の下端と排水溝などを連結する。この場合、竪樋を外部に露出させることなく、竪樋を通して屋根から地面などに排水することができる。しかも、中空な支柱は通常金属製であるので、支柱内の竪樋が損傷することを防止できる。そして、下部側面に形成する貫通孔を反屋根側（支柱の背面側）の側面に形成すれば、反屋根側に排水することが可能となる。
【先行技術文献】
【特許文献】
【０００７】
【特許文献１】特開２０１６−８９４１７号公報
【特許文献２】特開２０１０−１５０７８５号公報
【発明の概要】
【発明が解決しようとする課題】
【０００８】
しかし、特許文献２の技術の場合、支柱の側面に貫通孔を形成するので、支柱の強度が低下してしまう。このため、支柱に十分な強度を維持した状態で支柱の側面に貫通孔を形成するには、壁厚の厚い支柱を使用する等によって支柱の強度を高くする必要が生じる。
【０００９】
また、特許文献２の技術の場合、支柱内に竪樋が設けられているので、竪樋を交換することは実質的に不可能であり、詰まりを除くなどの作業も非常に手間がかかることになる。つまり、特許文献２の技術の場合、竪樋の損傷や詰り等が生じた場合には竪樋の補修が困難であり、屋根からの排水が困難になる可能性があるという問題もある。
【００１０】
本発明は上記事情に鑑み、反屋根側への排水が可能であり、見栄えの悪化、竪樋の損傷および支柱強度の低下等を防止でき、しかも竪樋の補修などを容易に行うことができる簡易構造物を提供することを目的とする。
【課題を解決するための手段】
【００１１】
第１発明の簡易構造物は、地面に立設される一対の支持部材を有する支柱と、該支柱に取り付けられた梁と、該梁に吊り下げられた屋根と、該屋根から地面に排水する排水機構と、を備え、前記一対の支持部材間に形成された空間が前記支柱の屋根側および反屋根側に開口しており、前記排水機構が、前記一対の支持部材間の空間に設けられた竪樋と、前記屋根から前記竪樋に排水する上部排水部と、を備えていることを特徴とする。
第２発明の簡易構造物は、第１発明において、前記支柱は、屋根側および反屋根側の開口を覆うカバーを備えており、該カバーが前記一対の支持部材に対して着脱可能に取り付けられていることを特徴とする。
第３発明の簡易構造物は、第１または第２発明において、前記一対の支持部材は、前記支柱の屋根側および／または反屋根側の開口が該支柱の長手方向に沿って延びる開口となるように設置されていることを特徴とする。
【発明の効果】
【００１２】
第１発明によれば、支柱が一対の支持部材を備えており、一対の支持部材の間に形成された空間に竪樋が配設されている。しかも、空間は屋根側および反屋根側（支柱における屋根の反対側）に開口しているので、反屋根側に排水することが容易になる。また、竪樋が一対の支持部材間に形成された空間に設置されているので、竪樋を支持部材によって保護することができる。さらに、支持部材に貫通孔を設けるなどの加工をしなくてもよいので、竪樋を支柱内に設けても支柱の強度が低下することを防ぐことができる。さらに、一対の支持部材の間に形成された空間に電気設備の配線などを行うことができる。
第２発明によれば、開口を覆うカバーを設けることで、外部から竪樋が視認されず、また、一本の柱の様な外観となるので、支柱の美観が良くなる。また、カバーを取り外すだけで、竪樋の設置や補修、電気設備の配線などを容易に行うことができる。
第３発明によれば、支柱の屋根側および／または反屋根側の開口が支柱の長手方向に沿って延びているので、屋根側および／または反屋根側の開口から竪樋の設置や補修を容易に行うことができる。また、竪樋と上部排水部とを連結する位置や竪樋から地面などに排水する位置の調整が容易になるので、設置場所の状況に合わせて排水が適切に行えるように調整することができる。
【図面の簡単な説明】
【００１３】
【図１】本実施形態の簡易構造物１における排水機構２０の上部の概略説明図である。
【図２】支柱１０のカバー１５を外した状態における支柱１０上部の概略説明図であって、（Ａ）は反屋根側の図であり、（Ｂ）は屋根側の図である。
【図３】（Ａ）はカバー１５が設けられている状態における図２（Ｂ）のIIIA-IIIA線断面図であり、（Ｂ）はカバー１５が設けられている状態における図２（Ｂ）のIIIB-IIIB線断面図である。
【図４】支柱１０のカバー１５を外した状態における支柱１０下部の概略説明図であって、（Ａ）は反屋根側の図であり、（Ｂ）は屋根側の図である。
【図５】（Ａ）はカバー１５が設けられている状態における図４（Ｂ）のVA-VA線断面図であり、（Ｂ）はカバー１５が設けられている状態における図２（Ｂ）のVB-VB線断面図である。
【図６】（Ａ）は本実施形態の簡易構造物１の側面図であり、（Ｂ）は本実施形態の簡易構造物１の一部を部分断面とした側面図である。
【図７】（Ａ）は本実施形態の簡易構造物１の正面図であり、（Ｂ）は本実施形態の簡易構造物１の背面図である。
【図８】本実施形態の簡易構造物１の概略斜視図である。
【発明を実施するための形態】
【００１４】
本発明の簡易構造物は、吊り下げ屋根を有する簡易構造物であって、屋根に降った雨水等を反屋根側に排水することができる構造としたことに特徴を有している。
【００１５】
本発明の簡易構造物はとくに限定されず、支柱に設けられた梁に吊り下げられた屋根を有する構造物であればよい。例えば、屋外通路屋根（回廊）や車庫やテラス等を本発明の簡易構造物として挙げることができる。
【００１６】
＜本実施形態の簡易構造物１について＞
まず、本実施形態の簡易構造物１の構造を簡単に説明する。
図７および図８に示すように、本実施形態の簡易構造物１は、複数本の支柱１０と、この複数本の支柱１０にそれぞれ設けられた複数本の梁２と、この複数本の梁２に吊り下げられた屋根５と、を備えている。そして、本実施形態の簡易構造物１は、屋根５に降った雨水等を排水する排水機構２０（図１、図６参照）を備えている。
【００１７】
＜支柱１０＞
まず、図６〜図８に示すように、支柱１０は地面Ｇなどに立設される部材である。この支柱１０の基端部はコンクリート等によって地面Ｇに固定される。本実施形態の支柱１０は、一対の支持部材１１，１１を有する構造を採用している。そして、一対の支持部材１１，１１は、両者の間に空間１０ｈが形成されるように配設されている。しかも、この空間１０ｈが、支柱１０の屋根側および反屋根側に開口１０ａ，１０ｂをそれぞれ有するようになっている（図３（Ｂ）参照）。そして、本実施形態の簡易構造物１では、一対の支持部材１１，１１間の空間１０ｈに排水機構２０の竪樋２１が設けられているが、詳細は後述する。
【００１８】
なお、支柱１０における屋根側とは、支柱１０の中心に対して屋根５が設けられている側（図６であれば支柱１０の中心に対して右側）を意味しており、反屋根側とは、支柱１０の中心に対して屋根５が設けられている側と反対側（図６であれば支柱１０の中心に対して左側）を意味している。
【００１９】
＜梁２＞
図１、図６、図７に示すように、各支柱１０の上端部には、連結材１２を介して梁２の基端が連結されている。
【００２０】
図１に示すように、梁２は、梁本体２ｆと、吊り下げ部材２ｃとを備えている。梁本体２ｆは、アルミニウムの押出し形材等によって形成された、軸方向に長い中空の部材である。この梁本体２ｆは、その基端部が連結材１２の梁連結部１２ｂに連結されている。この梁本体２ｆには、吊り下げ部材２ｃを介して屋根５が取り付けられている。
【００２１】
図２および図３に示すように、連結材１２は、支柱１０の上端部に連結される一対の支柱連結部１２ａ，１２ａと、梁２の基端部に連結される梁連結部１２ｂと、を備えている。
【００２２】
一対の支柱連結部１２ａ，１２ａは断面視略コの字状に形成された部材であり、一対の支柱連結部１２ａ，１２ａがそれぞれ一対の支持部材１１，１１に連結されている。
【００２３】
この一対の支柱連結部１２ａ，１２ａ間には、梁連結部１２ｂの基端部が溶接等により固定されている。この梁連結部１２ｂは、例えば、断面視略コの字状に形成された部材を２つ組み合わせて筒状としている（図２参照）。そして、この梁連結部１２ｂは、その基端部から先端部に向かって上傾するように配設されている（図１参照）。さらに、この梁連結部１２ｂは、梁本体２ｆ内部の空間に挿入された状態で、梁２の基端部に連結されている。
【００２４】
以上のような構造であるので、梁２に吊り下げられる屋根５の上面は、支柱１０に向かって下傾するように配設されることになる。
【００２５】
なお、梁連結部１２ｂは、梁本体２ｆの中空な空間に挿入できる構造であればよく、上記のごとき構造に限られない。上記のように梁連結部１２ｂを断面視略コの字状に形成された部材を２つ組み合わせて筒状とすれば、上下方向の板厚を左右方向よりも厚く（左右方向の板厚の倍）できる。すると、上下方向に梁連結部１２ｂに加わる力（例えば屋根５の荷重等）に対する梁連結部１２ｂの強度を高くすることができる。
【００２６】
さらに、一対の支持部材１１，１１に連結されている一対の支柱連結部１２ａ，１２ａの間に梁連結部１２ｂを固定しているので、一対の支持部材１１，１１を一定の距離に保った状態で維持することができる。つまり、後述する連結部材１３と同様に、連結材１２に一対の支持部材１１，１１間の距離を一定に保つ機能を発揮させることができる。
【００２７】
さらに、梁本体２ｆは、必ずしも中空の部材でなくてもよく、棒材や板材でもよい。また、梁本体２ｆを中空の部材とした場合でも、その断面形状や断面積等などはとくに限定されない。この場合、梁本体２ｆは、内部の空間に梁連結部１２ｂを挿入できるようになっていればよい。
【００２８】
＜屋根５＞
図６〜図８に示すように、屋根５は吊り下げ部材２ｃによって梁２から吊り下げられた部材である。この屋根５は、屋根５の上面を構成する上屋根パネル５ａと、この上屋根パネル５ａを保持する枠５ｂと、屋根５の下面を構成する下屋根パネル５ｃと、を有している。この屋根５は、上述したように、上屋根パネル５ａの上面が支柱１０に向かって下傾するように配設されている。そして、屋根５の支柱１０側の端縁には、上部に開口を有する横樋６が設けられている。したがって、上屋根パネル５ａに降った雨水などを横樋６に集めて横樋６から排水機構２０に雨水などを誘導することができる。
【００２９】
なお、横樋６は、その底壁の内面が排水機構２０と連通されている部分に向かって傾斜するようになっていることが望ましい。この場合、横樋６に集められた雨水等を排水機構２０に誘導しやすくなる。
また、下屋根パネル５ｃは必ずしも設けなくてもよいが、下屋根パネル５ｃを設ければ、屋根５を下から見た際の見栄えを向上できる。また、屋根５に照明（ダウンライト等の埋込式の照明）を取り付ける場合、上屋根パネル５ａと下屋根パネル５ｃの間に照明の配線を行うことができるので、照明の設置作業が容易になる点でも好ましい。
【００３０】
＜排水機構２０＞
図１および図６に示すように、排水機構２０は、竪樋２１と、上述した横樋６から竪樋２１に雨水などを誘導する上部排水部２２と、竪樋２１から誘導される雨水などを地面や排水溝等に排水する下部排水部２３と、を備えている。
【００３１】
＜竪樋２１＞
竪樋２１は、樹脂や金属などで形成された中空な管状部材である。この竪樋２１は、上述したように、支柱１０の一対の支持部材１１，１１間の空間１０ｈ内に配設されている（図２、図３参照）。
【００３２】
＜上部排水部２２＞
この竪樋２１の上端部には、上部排水部２２の基端部が取り付けられている。この上部排水部２２は、例えば蛇腹状のホースや屈曲した管状部材（エルボ樋等）などであり、その内部の空間と竪樋２１の内部の空間とが連通されている。また、上部排水部２２は、空間１０ｈの屋根側の開口１０ａを通して支柱１０外に突出しており（図１および図６（Ｂ）参照）、その先端が屋根５の横樋６と連結されている。具体的には、横樋６の底壁に形成された孔ｈを通して、横樋６内の空間と上部排水部２２の内部の空間とが連通されている。
【００３３】
なお、横樋６と支柱１０の屋根側の開口１０ａとの間には、上部排水部２２と開口１０ａとを覆うようにカバー部材７を設けてもよい（図１、図６参照）。すると、上部排水部２２や開口１０ａが視認できないでの、簡易構造物１の見栄えを良くすることができる。
【００３４】
＜下部排水部２３＞
一方、この竪樋２１の下端部には、下部排水部２３の基端部が取り付けられている。この下部排水部２３は、例えば蛇腹状のホースや屈曲した管状部材などであり、その内部の空間と竪樋２１の内部の空間とが連通されている。また、下部排水部２３は、空間１０ｈの反屋根側の開口１０ｂを通して支柱１０外と連通されている。
【００３５】
以上のような構造を有しているので、本実施形態の簡易構造物１では、屋根５に降った雨水等が横樋６に集めて、横樋６から、上部排水部２２、竪樋２１、下部排水部２３の順に雨水等を流して、地面や排水溝に排水することができる。
【００３６】
＜支柱１０＞
以下、支柱１０について詳細に説明する。
図２〜図５に示すように、支柱１０は、基端部が地面Ｇに埋設されて立設された一対の支持部材１１，１１を備えており、この一対の支持部材１１，１１によって屋根５を支持している。この一対の支持部材１１，１１は、両者間に空間１０ｈが形成されるように互いに間隔を空けて配設されている。
【００３７】
＜一対の支持部材１１，１１＞
図３に示すように、一対の支持部材１１，１１は、アルミニウムや鉄、ステンレスなどの金属によって形成された中空の部材である。一対の支持部材１１，１１は、その一側面である対向面１１ａ同士が互いに対向するように配設されている。この一対の支持部材１１，１１の対向面１１ａ（図５（Ａ）参照）は、一対の支持部材１１，１１の長手方向（図２、図４であれば上下方向）に沿って延びる面であり、平坦面を有している。そして、一対の支持部材１１，１１は、対向面１１ａ同士が互いに平行かつ対向面１１ａ間に空間１０ｈが形成されるように配設されている（図５（Ａ）参照）。
【００３８】
例えば、本実施形態の簡易構造物１が屋外通路屋根であれば、竪樋２１を収容できる空間１０ｈが形成されるように、一対の支持部材１１，１１は、対向面１１ａ間の距離が５０〜１００ｍｍ程度になるように配設される。
【００３９】
なお、一対の支持部材１１，１１の対向面１１ａ間の距離は、簡易構造物１の大きさや空間１０ｈに配設する竪樋２１の大きさに合わせて適宜設定することができる。
【００４０】
また、一対の支持部材１１，１１は、対向面１１ａ間の空間１０ｈと外部との間を連通する開口１０ａ，１０ｂが支柱１０の屋根側と反屋根側にそれぞれ形成されるように配設されている。
【００４１】
そして、一対の支持部材１１，１１は、支柱１０の横断面において、空間１０ｈが梁２（梁本体２ｆ）の長手方向（図３では上下方向）に沿って長い空間となるように設けられている。具体的には、一対の支持部材１１，１１は、支柱１０の横断面において、空間１０ｈの対向面１１ａに沿った方向の長さ（空間１０ｈの長手方向の長さ、図３では上下方向の長さ）がある程度長くなるような構造を有している。つまり、一対の支持部材１１，１１は、屋根５の荷重が加わる梁２（梁本体２ｆ）の長手方向に沿った方向の長さを長くすることによって、屋根５の荷重に対する強度が高くなるような構造に形成されている。
【００４２】
なお、空間１０ｈの長手方向の長さは、簡易構造物１の大きさや梁２の長さや重量、屋根５の大きさや重量等に合わせて適宜設定することができる。
【００４３】
また、一対の支持部材１１，１１の下部に、上述した連結材１２の支柱連結部１２ａと類似する構造の補助材１４ａ，１４ａを設けてもよい。この場合、補助材１４ａ，１４ａの上部が地面Ｇ上に位置し下部が地面Ｇに埋設された状態になるように一対の支持部材１１，１１の下部に設ける。すると、支柱１０に加わる梁２の長手方向の荷重を補助材１４ａ，１４ａにも負担させることができるので、かかる荷重に対する支柱１０の負担を軽減できるので好ましい。
【００４４】
＜連結部材１３＞
図４および図５に示すように、一対の支持部材１１，１１は、板状の部材からなる連結部材１３によって一定の距離を保った状態で連結されている。
【００４５】
具体的には、一対の支持部材１１，１１の屋根側に形成された各フランジ部ｆと連結部材１３とがボルト等によって連結されている。また、一対の支持部材１１，１１の反屋根側に形成された各フランジ部ｆと連結部材１３とがボルト等によって連結されている。これにより、一対の支持部材１１，１１の対向面１１ａ同士間を一定の距離に保った状態、つまり、支柱１０を所定の空間１０ｈが形成された状態で維持することができる。
【００４６】
なお、反屋根側では、竪樋２１と連結部材１３とが干渉する位置に連結部材１３を設けることができない。このため、反屋根側では、竪樋２１と干渉しない位置に連結部材１３を設ける。この場合、連結部材１３を設ける位置はとくに限定されない。例えば、一対の支持部材１１，１１の下端部など、竪樋２１が配置されない位置を挙げることができる（図４参照）。
【００４７】
＜カバー１５＞
図３および図５に示すように、支柱１０は、例えば、アルミニウムや樹脂等によって形成されたカバー１５を有している。このカバー１５は、一対の支持部材１１，１１の空間１０ｈの開口１０ａ，１０ｂを覆うように設けられている。しかも、カバー１５は、その外面が一対の支持部材１１，１１の外面と連続するような面となるように形成されている。
【００４８】
例えば、図３および図５に示すように、一対の支持部材１１，１１の外面が曲面に形成されている場合には、その一対の支持部材１１，１１の外面が滑らかに連続する曲面となるようにカバー１５は形成されている。
【００４９】
とくに、支柱１０の横断面を見たときに、一対の支持部材１１，１１の外面が同一の円または楕円の一部を構成するようになっている場合には、カバー１５を取り付けたときに、支柱１０の横断面が円または楕円となるようにカバー１５は形成されている。
【００５０】
以上のように、本実施形態の簡易構造物１の支柱１０が一対の支持部材１１，１１を備えているので、一対の支持部材１１，１１間の空間１０ｈに竪樋２１や電気設備の配線等が配設することができる。しかも、空間１０ｈは屋根側および反屋根側に外部と連通する開口１０ａ，１０ｂを有しているので、開口１０ａを通して上部排水部２２を外部に突出させて、屋根５の横樋６と竪樋２１を連通させることができる。また、下部排水部２３を反屋根側の開口１０ｂを通して外部と連通させることができる。すると、吊り下げ構造の屋根５を有する簡易構造物１であっても、屋根５の雨水等を支柱１０における反屋根側に排水することが容易になる。
【００５１】
しかも、一対の支持部材１１，１１の空間１０ｈと反屋根側の外部を連通する開口１０ｂを有しているので、支持部材１１に貫通孔を設けるなどの加工をしなくても、反屋根側に下部排水部２３を突出させることができる。すると、竪樋２１を支柱１０内に設け下部排水部２３を反屋根側に突出させても、支柱１０の強度が低下することを防ぐことができる。
【００５２】
また、竪樋２１が一対の支持部材１１，１１間の空間１０ｈに設置されているので、竪樋２１を一対の支持部材１１，１１によって保護することができる。すると、人や物体が竪樋２１に接触したり竪樋２１が損傷したりすることなどを防止できる。
【００５３】
さらに、一対の支持部材１１，１１間にカバー１５を設けているので、一対の支持部材１１，１１間の空間１０ｈに配設された竪樋２１が外部から視認できないようにすることができる（図３、図５および図７参照）。
【００５４】
とくに、一対の支持部材１１，１１の外面をカバー１５によって滑らかに接続するようにすれば、一対の支持部材１１，１１を設けても、支柱１０が一本の柱の様な外観となるので、支柱１０の美観が良くなる。
【００５５】
しかも、竪樋２１を設置した後でも、カバー１５を取り外せば、空間１０ｈに配置されている竪樋２１や電気設備の配線等を露出させることができる。すると、屋根側および反屋根側の開口１０ａ，１０ｂを通して、空間１０ｈ内の竪樋２１や電気設備の配線等の補修を行うことができる。
【００５６】
さらに、図２および図４に示すように、一対の支持部材１１，１１間の開口１０ａ，１０ｂが支柱１０の長手方向（図２、図４であれば上下方向）に沿って延びていれば、空間１０ｈ内にアクセスする空間が大きくなる。すると、空間１０ｈ内に竪樋２１を設置する作業が容易になるし、空間１０ｈ内の竪樋２１や電気設備の配線等の補修を容易に行うことができる。
【００５７】
また、開口１０ａ，１０ｂが支柱１０の長手方向に沿って延びているので、上部排水部２２を支柱１０から突出させる位置を自由に調整できる。同様に、下部排水部２３を支柱１０から突出させる位置も自由に調整できる。すると、上部排水部２２によって竪樋２１と屋根５の横樋６とを連結する位置や、下部排水部２３よって竪樋２１から地面などに排水する位置を調整できるので、設置場所の状況に合わせて排水が適切に行えるように調整することができる。
【００５８】
なお、本明細書において、「対向面１１ａ」が「平坦面を有している」とは、支持部材１１の全長に渡って「対向面１１ａ」が平坦面である場合や、「対向面１１ａ」の一部に平坦面でない部分が存在する場合も含むことを意味している。また、「平坦面」には、若干の凹凸や突起、切り欠き、溝等がある場合も含んでいる。
【００５９】
また、本明細書において、「対向面１１ａ同士が互いに平行」とは、「対向面１１ａ同士」が完全に平行な場合だけでなく、若干の傾きがある場合も含んでいる。
同様に、本明細書において、「梁２（梁本体２ｆ）の長手方向に沿って」とは、梁２（梁本体２ｆ）の長手方向と完全に平行な場合だけでなく、梁２（梁本体２ｆ）の長手方向に対して若干の傾きがある場合も含んでいる。
【００６０】
なお、連結部材１３は、一対の支持部材１１，１１のフランジ部ｆ同士を連結できる構造であればよく、その形状などはとくに限定されない。例えば、金属製のプレート等を連結部材１３として使用できる。
【００６１】
なお、支持部材１１は、例えば、引き抜き加工や押出加工等によって形成された中空の部材が好ましいが、複数の板状部材を溶接によって連結したりボルト等により機械的に連結したりして支持部材１１を形成してもよい。
【００６２】
また、一対の支持部材１１，１１は、両者間に形成される空間１０ｈと外部との間を連通する開口１０ａ，１０ｂが必ずしも支柱１０の上端から下端まで連続するようになっていなくてもよい。例えば、一対の支持部材１１，１１の下端部や中間部、上端部の一部で、両者が連結されて開口が形成されない部分があってもよい。
【００６３】
＜屋根５について＞
屋根５の構造および横樋６の構造はとくに限定されない。屋外通路屋根や車庫やテラス等の簡易構造物おいて、梁に吊り下げて設置される屋根や屋根に設けられる横樋と同様の構造を、本実施形態の簡易構造物１の屋根５の構造および横樋６の構造として採用することができる。
【００６４】
また、横樋６において、排水機構２０の上部排水部２２が連結される位置もとくに限定されないが、排水性を向上する上では、図１に示すように、各支柱１０と最も近い位置で連結することが望ましい。
【００６５】
＜支柱１０について＞
簡易構造物１に設ける支柱１０の数はとくに限定されない。簡易構造物１の形状や大きさ、屋根５の形状や大きさ等、また、簡易構造物１を設置する場所などに合わせて支柱１０を設ける本数は適宜調整される。
【００６６】
一対の支持部材１１，１１間の空間１０ｈは、上述したように、排水機構２０の竪樋２１を配設する空間として使用するが、それ以外にも、電気設備の配線などを行うことができる。例えば、簡易構造物１に照明等を設ける場合には、照明の配線等を一対の支持部材１１，１１間の空間１０ｈを利用して行うことができる。すると、配線のための構造を支柱１０等に別途設けなくてもよいので、簡易構造物１の構造を簡素化できる。また、配線が外部に露出しないので配線を一対の支持部材１１，１１によって保護することができるし、一対の支持部材１１，１１の開口１０ａ，１０ｂから設置や補修作業を行うことができる、という利点も得られる。
【００６７】
＜梁２について＞
梁２は、上述したように、梁本体２ｆが基端部から先端部に向かって上傾するように配設されていてもよいし、水平に配設されていてもよく、とくに限定されない。梁本体２ｆが水平等に配設されていても、吊り下げ部材２ｃの長さ等を調整すれば、屋根５を支柱１０に向かって下傾するように配設することは可能である。
【００６８】
さらに、連結材１２は、上述したように複数の部材で形成してもよいし、１つの部材で形成してもよい。また、連結材１２を梁本体２ｆと一体で形成してもよい。上述したように、連結材１２を複数の部材で形成した場合、支柱連結部１２ａ、梁連結部１２ｂを異なる素材や構造（例えば板厚など）とすることができるので、連結材１２の耐久性などを適切に調整することができる。例えば、支柱連結部１２ａには板厚の厚い部材を使用して強度を高くして、梁連結部１２ｂや梁本体２ｆに板厚の薄い部材を使用して、支柱１０から突出している部分を軽量化することができる。すると、梁２が屋根５を支持する強度をある程度高く維持しつつ、梁２全体としては軽量化できるので、支柱１０への負担を軽減でき、支柱１０の構造を簡素化できる。
【００６９】
＜排水機構２０について＞
上記例では、排水機構２０が、竪樋２１と、上部排水部２２と、下部排水部２３と、を有する場合を説明した。しかし、排水機構２０は、下部排水部２３を有しない構造としてもよい。例えば、竪樋２１の下端が排水溝などに直接連結されている場合には、下部排水部２３は設けなくてもよい。
【００７０】
また、上述したように、竪樋２１と、上部排水部２２と、下部排水部２３とは、それぞれ別体で設けて、施工時に連結するようにしてもよい。また、全てを一体で形成したり、竪樋２１と上部排水部２２とを一体で形成して、下部排水部２３を施工時に連結するようにしてもよい。また、竪樋２１と下部排水部２３とを一体で形成して、上部排水部２２を施工時に連結するようにしてもよい。全ての部分が別体となっていたり、一部が別体となっていたりすれば、簡易構造物１の設置場所に合わせて排水機構２０の位置を調整できるという利点が得られる。
【００７１】
とくに、上述したように、支柱１０における一対の支持部材１１，１１間の開口１０ａ，１０ｂが支柱１０の長手方向に沿って延びているような場合には、設置場所の状況に合わせて排水が適切に行えるように排水機構２０の設置状態を調整することができる。
【００７２】
つまり、上部排水部２２によって、横樋６に対する竪樋２１の上端の位置（水平方向および鉛直方向の位置）を調整できる。具体的には、竪樋２１の水平方向の設置位置を屋根側と反屋根側との間で調整すれば、竪樋２１の上端の位置が同じでも、横樋６から竪樋２１に排水を誘導する流路の傾きを調整できる。また、竪樋２１の鉛直方向の設置位置を調整すれば、竪樋２１の水平方向の設置位置が同じでも、横樋６から竪樋２１に排水を誘導する流路の傾きを調整できる。すると、簡易構造物１の設置場所に合わせて、横樋６から竪樋２１への排水を適切に行えるように、排水機構２０を設置することができる。
【００７３】
同様に、下部排水部２３によって、地面Ｇに対する竪樋２１の下端の位置（水平方向および鉛直方向の位置）を調整できる。具体的には、竪樋２１の水平方向の設置位置を屋根側と反屋根側との間で調整すれば、竪樋２１の下端の位置が同じでも、竪樋２１から地面Ｇに排水を誘導する流路の傾きを調整できる。また、竪樋２１の鉛直方向の設置位置を調整すれば、竪樋２１の水平方向の設置位置が同じでも、竪樋２１から地面Ｇに排水を誘導する流路の傾きを調整できる。すると、簡易構造物１の設置場所に合わせて、竪樋２１から地面Ｇへの排水を適切に行えるように、排水機構２０を設置することができる。
【産業上の利用可能性】
【００７４】
本発明の簡易構造物は、屋外通路屋根や車庫やテラス等の簡易構造物として適している。
【符号の説明】
【００７５】
１    簡易構造物
２    梁
５    屋根
６    横樋
１０    支柱
１０ｈ  空間
１０ａ  開口
１０ｂ  開口
１１    支持部材
１２    連結材
１５    カバー
２０    排水機構
２１    竪樋
２２    上部排水部
２３    下部排水部
Ｇ    地面
【図１】
2019131974.tif 000003
【図２】
2019131974.tif 000004
【図３】
2019131974.tif 000005
【図４】
2019131974.tif 000006
【図５】
2019131974.tif 000007
【図６】
2019131974.tif 000008
【図７】
2019131974.tif 000009
【図８】
2019131974.tif 000010